(57)【要約】      （修正有）【課題】足の蒸れを防止することができる履物を提供する。【解決手段】履物Ａは、踵の下に位置する部位に凹所を有する室１ａを備えたアウトソール１と、前記室１ａの上面を気密に閉塞すると共に、上に向かって膨出する膨出部４ａを有する弾性部材４と、この弾性部材４の膨出部を覆う凹所である覆い部２ａを有すると共に、上面に開口部２ｂを備えたインソール２と、アウトソール１の側壁に設けられた外気取り入れ口１ｂと、アウトソール１に設けれると共に、外気取り入れ口１ｂと室１ａを連通する外気通路１ｃと、この外気通路１ｃ内に設けられ、室１ａに導入する方向の空気の流れを許容し、室１ａから外気側への空気の流れを阻止する外気取り入れ用の第１の逆止弁Ｇ１と、室１ａと開口部２ｂを連通する排出通路Ｐと、この排出通路Ｐ内に設けられ、室１ａから排出する方向の空気の流れを許容し、室１ａへの空気の流れを阻止する排気用の第２の逆止弁Ｇ２とを設けたものである。【選択図】図２
0003125082.tif 000002
【実用新案登録請求の範囲】
【請求項１】
踵の下に位置する部位に凹所を有する室を備えたアウトソールと、
前記凹所を有する前記室の上面を気密に閉塞すると共に、上に向かって膨出する膨出部を有する弾性部材と、
この弾性部材の膨出部を覆う凹所である覆い部を有すると共に、上面に開口部を備えたインソールと、
前記アウトソールの側壁に設けられた外気取り入れ口と、
前記アウトソールに設けれると共に、前記外気取り入れ口と前記室を連通する外気通路と、
この外気通路内に設けられ、前記室に導入する方向の空気の流れを許容し、前記室から外気側への空気の流れを阻止する外気取り入れ用の第１の逆止弁と、
前記室と前記開口部を連通する排出通路と、
この排出通路内に設けられ、前記室から排出する方向の空気の流れを許容し、前記室への空気の流れを阻止する排気用の第２の逆止弁と、
を設けたことを特徴とする履物。
【請求項２】
逆止弁は、第１の筒体と、この第１の筒体に挿入される第２の筒体と、この第２の筒体と前記第１の筒体に挟持される弁とを備え、
前記第１の筒体は、第１の円筒と、この第１の円筒に接続され、前記第１の円筒の内径より大きい内径を有する第２の円筒と、この第２の円筒と前記第１の円筒とを連通する第１の通路とを備え、
前記第２の筒体は、前記第２の円筒の内壁に当接するように、前記第２の円筒の内径より小さい外径を有する第１’の円筒と、この第１’の円筒に接続され、前記第１’の円筒の外径より小さい外径を有する第２’の円筒と、この第２’の円筒と前記第１’の円筒とを連通する第２の通路とを備え、
前記弁は、リング部と、このリング部に支持されると共に、前記第１の円筒の内径より大きく、前記リング部の内径及び前記第１’の円筒の内径より小さい蓋とを備え、
前記蓋に前記第１の通路から前記第２の通路に向かって空気が流入すると、前記蓋は前記第１’の円筒内へ移動すると共に、前記空気は前記第２の通路へ導かれものであり、
前記蓋に前記第２の通路から前記第１の通路に向かって空気が流入すると、前記蓋は前記第１の円筒の前記第１の通路を塞ぐものであり、
外気取り入れ用の第１の逆止弁は、前記逆止弁の前記第１の筒体を外気の側に、前記第２’の筒体を室の側に位置させ、
排気用の第２の逆止弁は、前記逆止弁の前記第１の筒体を前記室の側に位置させる
ことを特徴とする請求項１記載の履物。
【請求項３】
アウトソールは、ポリウレタンで形成され、
外気取り入れ用の第１の逆止弁は、外気通路内に圧入されると共に、前記外気取り入れ用の第１の逆止弁の第２’の円筒の端面が室に臨み、
インソールの開口部は複数であり、
前記室と前記開口部を連通する排出通路は、
前記アウトソールに設けられ、前記室に連通すると共に、つま先に向かう直線状の    案内溝と、
前記アウトソールに設けられ、前記直線状の案内溝から左右に分岐すると共に、前    記開口部に連通する分岐溝と、
前記案内溝に収納されるパイプと、
このパイプの一端は、排気用の第２の逆止弁の第２’の円筒の外壁に当接するよう    に挿入され、前記排気用の第２の逆止弁の第１の円筒の端面が前記室に臨み、前記パ    イプの他端は、前記分岐溝に臨むように構成されるものである
ことを特徴とする請求項２記載の履物。
【考案の詳細な説明】
【技術分野】
【０００１】
本考案は、履物に係り、特に、足の蒸れを防止することができる履物に関する。
【背景技術】
【０００２】
従来、足の蒸れを防止することができる履物がある（例えば、特許文献１参照）。
これは、歩く際の踵にかかる荷重差を利用して、ポンプ室の内容積を変化させ、履物の内部の空気を外部に強制的に排気するようにした「歩くと換気できる靴」である。
しかしながら、上述した履物にあっては、気密蓋（弾性部材）の膨出部を中底（インソール）より露出させているため、使用により気密蓋（弾性部材）の膨出部が摩耗し易く、しかも、気密蓋（弾性部材）の膨出部の周囲と中底（インソール）との間に間隙が形成され、該間隙に塵等が付着し易く、更に、気密蓋（弾性部材）の膨出部を中底（インソール）より突出させているため、見栄えも良好でないという問題点があった。
【特許文献１】特許第２９１８８３６号公報（図１及び図２）
【考案の開示】
【考案が解決しようとする課題】
【０００３】
本考案は、前記した問題点を除去するようにした履物を提供することを目的としている。
【課題を解決するための手段】
【０００４】
前記した目的を達成するための請求項１記載の履物は、踵の下に位置する部位に凹所を有する室を備えたアウトソールと、前記凹所を有する前記室の上面を気密に閉塞すると共に、上に向かって膨出する膨出部を有する弾性部材と、この弾性部材の膨出部を覆う凹所である覆い部を有すると共に、上面に開口部を備えたインソールと、前記アウトソールの側壁に設けられた外気取り入れ口と、前記アウトソールに設けれると共に、前記外気取り入れ口と前記室を連通する外気通路と、この外気通路内に設けられ、前記室に導入する方向の空気の流れを許容し、前記室から外気側への空気の流れを阻止する外気取り入れ用の第１の逆止弁と、前記室と前記開口部を連通する排出通路と、この排出通路内に設けられ、前記室から排出する方向の空気の流れを許容し、前記室への空気の流れを阻止する排気用の第２の逆止弁とを設けたものである。
【０００５】
また、請求項２記載の履物は、請求項１記載の履物において、逆止弁は、第１の筒体と、この第１の筒体に挿入される第２の筒体と、この第２の筒体と前記第１の筒体に挟持される弁とを備え、前記第１の筒体は、第１の円筒と、この第１の円筒に接続され、前記第１の円筒の内径より大きい内径を有する第２の円筒と、この第２の円筒と前記第１の円筒とを連通する第１の通路とを備え、前記第２の筒体は、前記第２の円筒の内壁に当接するように、前記第２の円筒の内径より小さい外径を有する第１’の円筒と、この第１’の円筒に接続され、前記第１’の円筒の外径より小さい外径を有する第２’の円筒と、この第２’の円筒と前記第１’の円筒とを連通する第２の通路とを備え、前記弁は、リング部と、このリング部に支持されると共に、前記第１の円筒の内径より大きく、前記リング部の内径及び前記第１’の円筒の内径より小さい蓋とを備え、前記蓋に前記第１の通路から前記第２の通路に向かって空気が流入すると、前記蓋は前記第１’の円筒内へ移動すると共に、前記空気は前記第２の通路へ導かれものであり、前記蓋に前記第２の通路から前記第１の通路に向かって空気が流入すると、前記蓋は前記第１の円筒の前記第１の通路を塞ぐものであり、外気取り入れ用の第１の逆止弁は、前記逆止弁の前記第１の筒体を外気の側に、前記第２’の筒体を室の側に位置させ、排気用の第２の逆止弁は、前記逆止弁の前記第１の筒体を前記室の側に位置させるものである。
【０００６】
また、請求項３記載の履物は、請求項２記載の履物において、アウトソールは、ポリウレタンで形成され、外気取り入れ用の第１の逆止弁は、外気通路内に圧入されると共に、前記外気取り入れ用の第１の逆止弁の第２’の円筒の端面が室に臨み、インソールの開口部は複数であり、前記室と前記開口部を連通する排出通路は、前記アウトソールに設けられ、前記室に連通すると共に、つま先に向かう直線状の案内溝と、前記アウトソールに設けられ、前記直線状の案内溝から左右に分岐すると共に、前記開口部に連通する分岐溝と、前記案内溝に収納されるパイプと、このパイプの一端は、排気用の第２の逆止弁の第２’の円筒の外壁に当接するように挿入され、前記排気用の第２の逆止弁の第１の円筒の端面が前記室に臨み、前記パイプの他端は、前記分岐溝に臨むように構成されるものである。
【考案の効果】
【０００７】
請求項１記載の履物によれば、弾性部材は、上に向かって膨出する膨出部を有するため、変形量を大きくとって、室内への空気の取り入れと排気によるポンプ作用を増大させることができ、しかも、弾性部材の膨出部は、従来のように、インソールより突出しないと共に、インソールは弾性部材の膨出部を覆う凹所である覆い部を有するため、弾性部材の膨出部を保護することができ、更に、従来のように、インソールより突出しない分、見栄えを損なうこともない。
【０００８】
また、請求項２記載の履物によれば、前述した請求項１記載の考案の効果に加え、従来のようなパイプの中途を中央閉塞部で閉じ、中央閉塞部を介した一方にスリットと開口部を、中央閉塞部を介した他方にスリットと開口部を、それぞれ設けた逆止弁とは、異なり、逆止弁の向きを変えることにより、１つの逆止弁で外気取り入れ用の第１の逆止弁と排気用の第２の逆止弁に対応することができる。
【０００９】
また、請求項３記載の履物によれば、前述した請求項２記載の考案の効果に加え、案内溝に収納されるパイプの一端は、排気用の第２の逆止弁の第２’の円筒の外壁に当接するように挿入され、パイプの他端は、案内溝から左右に分岐する分岐溝に臨むように構成されるため、外気の導入を気密に行うことができる。
【考案を実施するための最良の形態】
【００１０】
本考案の一実施例の履物を図面を参照して説明する。
図１〜図１５において、Ａは履物で、履物Ａは、概略的に、アウトソール（本底）１と、インソール（中底）２と、甲皮（アッパー）３とから構成されている。
アウトソール１は、例えば、ポリウレタンで形成され、踵の下に位置する部位に凹所を有する室１ａを備えている。図３に示す４は弾性部材で、弾性部材４は、例えば、塩化ビニルで形成され、前記凹所を有する室１ａの上面を気密に閉塞する（例えば、弾性部材４により室１ａの凹所を覆って接着剤により弾性部材４を室１ａの上面に接着する。）と共に、上に向かって膨出する膨出部４ａを有する。また、インソール２は、図１３〜図１５に示すように、弾性部材４の膨出部４ａを覆う凹所である覆い部２ａを有すると共に、上面に複数の開口部２ｂを備えている。
【００１１】
図１に示す１ｂは、アウトソール１の側壁に設けられた外気取り入れ口で、外気取り入れ口１ｂは、図１の図示１ｂの背面側にも設けられている（図１及び図５参照）。
また、図６に示す１ｃは、アウトソール１に設けれると共に、外気取り入れ口１ｂと室１ａを連通する外気通路である。
この外気通路１ｃ内には、外気取り入れ用の第１の逆止弁Ｇ１が設けられ、外気取り入れ用の第１の逆止弁Ｇ１は、室１ａに導入する方向の空気の流れを許容し、室１ａから外気側への空気の流れを阻止するように作用する（図７参照）。
【００１２】
外気取り入れ用の第１の逆止弁Ｇ１は、外気通路１ｃ内に圧入されると共に、外気取り入れ用の第１の逆止弁Ｇ１の後述する第２’の円筒２０ｂの端面が室１ａに臨むように配置されている。
即ち、第１の逆止弁Ｇ１の逆止弁は、図４に示すように、第１の筒体１０と、この第１の筒体１０に挿入される第２の筒体２０と、この第２の筒体２０と第１の筒体１０に挟持される弁３０とを備えている。
第１の筒体１０は、第１の円筒１０ａと、この第１の円筒１０ａに接続され、第１の円筒１０ａの内径より大きい内径を有する第２の円筒１０ｂと、この第２の円筒１０ｂと第１の円筒１０ａとを連通する第１の通路１０ｃとを備え、例えば、第１の円筒１０ａ、第２の円筒１０ｂとは、プラスチックで一体成形されている。
また、第２の筒体２０は、第２の円筒１０ｂの内壁に当接するように、第２の円筒１０ｂの内径より小さい外径を有する第１’の円筒２０ａと、この第１’の円筒２０ａに接続され、第１’の円筒２０ａの外径より小さい外径を有する第２’の円筒２０ｂと、この第２’の円筒２０ｂと第１’の円筒２０ａとを連通する第２の通路２０ｃとを備え、例えば、第１’の円筒２０ａ、第２’の円筒２０ｂとは、プラスチックで一体成形されている。
また、弁３０は、リング部３０ａと、このリング部３０ａに支持されると共に、第１の円筒１０ａの内径より大きく、リング部３０ａの内径及び第１’の円筒２０ａの内径より小さい蓋３０ｂとを備えている。
また、図４に示すＳは、ストッパーで、ストッパーＳは、リング部Ｓ１と、このリング部Ｓ１の内方に複数の爪Ｓ２を有し、リング部Ｓ１は、第１の逆止弁Ｇ１又は第２の逆止弁Ｇ２が室１ａに臨むように取り付けられた際のストッパーの役目をするものであり、また、爪Ｓ２は、第２’の円筒２０ｂ又は第２の円筒１０ｂの外周面に係合するためのものである。
従って、図７に示すように、蓋３０ｂに第１の通路１０ｃから第２の通路２０ｃに向かって空気が流入すると、蓋３０ｂは第１’の円筒２０ａ内へ移動すると共に、空気は第２の通路２０ｃへ導かれものであり、逆に、蓋３０ｂに第２の通路２０ｃから第１の通路１０ｃに向かって空気が流入すると、蓋３０ｂは第１の円筒１０ａの第１の通路１０ｃを塞ぐように作用する。
【００１３】
また、図２に示すＰは、室１ａと開口部２ｂを連通する排出通路で、排出通路Ｐ内には、排気用の第２の逆止弁Ｇ２が設けられ、この排気用の第２の逆止弁Ｇ２は、室１ａから排出する方向の空気の流れを許容し、室１ａへの空気の流れを阻止するように作用する（図９参照）。排気用の第２の逆止弁Ｇ２は、上述した外気取り入れ用の第１の逆止弁Ｇ１とは、構造的には、向きとストッパーＳの当接する部位を除けば、同じであるため、その説明を省略する。
即ち、外気取り入れ用の第１の逆止弁Ｇ１は、図７に示すように、逆止弁の第１の筒体１０ａを外気の側に、第２’の円筒２０ｂを室１ａの側に位置させ、ストッパーＳの爪Ｓ２は、第２’の円筒２０ｂの外周面に係合しているが、排気用の第２の逆止弁Ｇ２は、図９に示すように、逆止弁の第１の筒体１０ａを室１ａの側に位置させ、ストッパーＳの爪Ｓ２は、第１の筒体１０ａの外周面に係合している。
また、上述した排出通路Ｐは、図３及び図９に示すように、アウトソール１に設けられ、室１ａに連通すると共に、つま先に向かう直線状の案内溝Ｐ１と、アウトソール１に設けられ、直線状の案内溝Ｐ１から左右に分岐すると共に、開口部２ｂに連通する分岐溝Ｐ２と、案内溝Ｐ１に収納されるパイプＰ３と、このパイプＰ３の一端は、排気用の第２の逆止弁Ｇ２の第２’の円筒２０ｂの外壁に当接するように挿入され、排気用の第２の逆止弁Ｇ２の第１の円筒１０ａの端面が室１ａに臨み、パイプＰ３の他端は、分岐溝Ｐ２に臨むように構成されている（図８参照）。
【００１４】
従って、上述した履物Ａによれば、弾性部材４は、上に向かって膨出する膨出部４ａを有するため、変形量を大きくとって、室１ａ内への空気の取り入れと排気によるポンプ作用を増大させ、つまり、踵に体重が乗ると、弾性部材４の膨出部４ａが室１ａに入って室１ａ内の空気を排出通路Ｐ、開口部２ｂを介して放出し、足の蒸れを防止し、踵に体重がかからなくなると、弾性部材４の弾性変形により、室１ａ内への空気を外気通路１ｃを介して室１ａ内に取り入れることとなる。
また、弾性部材４の膨出部４ａは、従来のように、インソール２より突出しないと共に、インソール２は弾性部材４の膨出部４ａを覆う凹所である覆い部２ａを有するため、弾性部材４の膨出部４ａを保護することができ、更に、従来のように、インソール２より突出しない分、見栄えを損なうこともない。
【００１５】
また、外気取り入れ用の第１の逆止弁Ｇ１（又は排気用の第２の逆止弁Ｇ２）は、従来（特許文献１）のようなパイプの中途を中央閉塞部で閉じ、中央閉塞部を介した一方にスリットと開口部を、中央閉塞部を介した他方にスリットと開口部を、それぞれ設けた逆止弁とは、異なり、逆止弁の向きを変えることにより、１つの逆止弁で外気取り入れ用の第１の逆止弁Ｇ１と排気用の第２の逆止弁Ｇ２に対応することができる。
【００１６】
更に、外気取り入れ用の第１の逆止弁Ｇ１の第２’の円筒２０ｂの端面が室１ａに臨むように、排気用の第２の逆止弁Ｇ２の第１の円筒１０ａの端面が室１ａに臨むように、それぞれ取り付ければ良いため、簡易に逆止弁を取り付けることができ、しかも、パイプＰ３の一端は、排気用の第２の逆止弁Ｇ２の第２’の円筒２０ｂの外壁に当接するように挿入され、パイプＰ３の他端は、分岐溝Ｐ２に臨むように構成されるため、外気の導入を簡易に気密状態に保つことができる。
【図面の簡単な説明】
【００１７】
【図１】図１は、本考案の一実施例である履物の概略的斜視図である。
【図２】図２は、図１の２ー２線による概略的断面図である。
【図３】図３は、図１の履物の甲皮を取り除いて分解的に示す概略的分解斜視図である。
【図４】図４は、図１の履物に取り付けられている外気取り入れ用の第１の逆止弁（又は排気用の第２の逆止弁）の概略的分解斜視図である。
【図５】図５は、図３の５ー５線による概略的断面図である。
【図６】図６は、図５の外気取り入れ用の第１の逆止弁の取り付け前の状態の概略的断面図である。
【図７】図７は、図５の外気取り入れ用の第１の逆止弁の作用を示すための概略的断面図である。
【図８】図８は、図３の８ー８線による概略的断面図である。
【図９】図９は、図８の排気用の第２の逆止弁にパイプが装着する前の状態の概略的断面図である。
【図１０】図１０は、図３の弾性部材の概略的平面図である。
【図１１】図１１は、図１０の１１ー１１線による概略的断面図である。
【図１２】図１２は、アウトソールの凹所を図１１の弾性部材が気密に閉塞する状態の概略的断面図である。
【図１３】図１３は、図３のインソールの概略的平面図である。
【図１４】図１４は、図１３の１４ー１４線による概略的断面図である。
【図１５】図１５は、図１３の１５ー１５線による概略的断面図である。
【符号の説明】
【００１８】
Ａ    …………履物
１    …………アウトソール
１ａ  …………室
１ｂ  …………外気取り入れ口
１ｃ  …………外気通路
２    …………インソール
２ａ  …………覆い部
４    …………弾性部材
４ａ  …………膨出部
Ｇ１  …………第１の逆止弁
Ｇ２  …………第２の逆止弁
Ｐ    …………排出通路
【図１】
0003125082.tif 000003
【図２】
0003125082.tif 000004
【図３】
0003125082.tif 000005
【図４】
0003125082.tif 000006
【図５】
0003125082.tif 000007
【図６】
0003125082.tif 000008
【図７】
0003125082.tif 000009
【図８】
0003125082.tif 000010
【図９】
0003125082.tif 000011
【図１０】
0003125082.tif 000012
【図１１】
0003125082.tif 000013
【図１２】
0003125082.tif 000014
【図１３】
0003125082.tif 000015
【図１４】
0003125082.tif 000016
【図１５】
0003125082.tif 000017